(57)【要約】【課題】フィンや伝熱管を損傷することなく、部品の固定または取り付けを可能とする。【解決手段】空気調和装置は、間隙１２ａを存して積層される複数枚のフィン１２を有するフィン群１３と、積層の方向に沿って延び、複数枚のフィン１２を貫通して配される伝熱管１４と、伝熱管１４を挿通可能な貫通孔部２３を有し、伝熱管１４を貫通孔部２３に貫通させて積層の方向に沿って挿入され、フィン１２の積層方向の途中部分に配置される板状部２１と板状部２１に一体に設けられるとともに部品を取り付け可能に構成された取付片２２とを有する部品取付具２０と、を有する熱交換器１１を備えたことを特徴とする。【選択図】      図２
2010065924.tif 000002
【特許請求の範囲】
【請求項１】
間隙を存して積層される複数枚のフィンを有するフィン群と、
前記積層の方向に沿って延び、前記複数枚のフィンを貫通して配される伝熱管と、
前記伝熱管を挿通可能な孔部を有し、前記伝熱管を前記孔部に貫通させて前記積層の方向に沿って挿入され、前記フィンの積層方向の途中部分に配置される板状部と、前記板状部に一体に設けられるとともに部品を取り付け可能に構成された取付部と、を有する部品取付具と、
を有する熱交換器を備えたことを特徴とする空気調和装置。
【請求項２】
前記部品取付具は樹脂製または金属製であって、
前記板状部は、前記フィンと同形状に構成され、積層される複数の前記フィンの間に挟まれて配置され、
前記取付部は、前記板状部の外縁部分から前記フィン群の外側に延び、前記熱交換器の表面に配設される部品が固定可能な固定機構を有する、
ことを特徴とする請求項１記載の空気調和装置。
【発明の詳細な説明】
【技術分野】
【０００１】
本発明は、空気調和装置に係り、例えば複数枚のフィンが積層されるフィンチューブタイプの熱交換器を備えたものに関する。
【背景技術】
【０００２】
空気調和装置の室内交換機等に使用される熱交換器において、複数のフィンが積層配置されたフィン群と、積層方向に沿ってフィンを貫通して配置された複数の伝熱管とを備えるフィンチューブタイプの熱交換器が知られている。
【０００３】
このような空気調和装置では、フィン群の表面の空気通風路に温度センサや空気清浄機等の部品を配置することがあり、例えば、フィン群の外側から、複数のフィンの間隙に固定部材を挿入して伝熱管の外周面側から伝熱管に嵌合して取り付ける技術が知られている（例えば、特許文献１参照）。このような固定部材には伝熱管が配置されるＣ字形状の挿入部が形成され、固定部材をフィン群の外周面側からフィンの間隙に差し込むとともに、挿入部に伝熱管が配置されるように押し込む。
【特許文献１】特開平１１−２８７５４０号公報
【発明の開示】
【発明が解決しようとする課題】
【０００４】
しかしながら、上記の技術には以下のような問題がある。すなわち、フィン同士の間の狭い間隙に外側から固定部材を挿入すると、周囲のフィンが押し潰され、空気の通過が妨げられるという問題がある。また、伝熱管の外側から押し込んで挿入部に伝熱管を嵌合させる構成であるため、伝熱管の表面が損傷する場合があるという問題がある。
【０００５】
この発明は、上記の事情を考慮したもので、フィンや伝熱管を損傷することなく、部品の固定または取り付けを可能とすることを目的とする。
【課題を解決するための手段】
【０００６】
本発明の一形態に係る空気調和装置は、間隙を存して積層される複数枚のフィンを有するフィン群と、前記積層の方向に沿って延び前記複数枚のフィンを貫通して配される複数の伝熱管と、前記伝熱管を挿通可能な孔部を有し、前記伝熱管を前記孔部に貫通させて前記積層の方向に沿って挿入され、前記フィンの積層方向の途中部分に配置される板状部と、前記板状部に一体に設けられるとともに部品を取り付け可能に構成された取付部と、を有する部品取付具と、を有する熱交換器を備えたことを特徴とする。
【０００７】
本発明の他の一形態に係る空気調和装置は、前記部品取付具は樹脂製または金属製であって、前記板状部は、前記フィンと同形状に構成され、積層される複数の前記フィンの間に挟まれて配置され、前記取付部は、前記板状部の外縁部分から前記フィン群の外側に延び、前記熱交換器の表面に配設される部品が固定可能な固定機構を有する、ことを特徴とする。
【発明の効果】
【０００８】
この発明によれば、フィンや伝熱管を損傷することなく、部品の固定または取り付けが可能となる。
【発明を実施するための最良の形態】
【０００９】
以下、この発明の第１実施形態について図１及び図２を参照して説明する。
【００１０】
本実施形態に係る熱交換器１１は、例えば空気調和装置の室内機の内部に収容されるフィン１２チューブタイプの熱交換器１１であり、所定の間隙を存して積層される複数枚のフィン１２を有するフィン群１３と、複数枚のフィン１２をその厚さ方向に貫通して前記積層の方向（Ｘ方向）に沿って配置される複数本の伝熱管１４を備えている。
【００１１】
フィン群１３の積層の方向における途中部分におけるフィン１２同士の間隙１２ａには、部品取付具２０が設けられている。
【００１２】
フィン群１３は、両端に配置された端板１５と、これらの間において、互いに所定の間隙１２ａを介して複数枚積層されるように重合わされて並設配置される複数のフィン１２と、で構成されている。
【００１３】
複数枚のフィン１２は、例えばアルミ等から薄い板状に構成された放熱フィンであり、厚み方向が空気調和装置の長手方向に沿うように配置され、厚み方向に複数枚積層されている。
【００１４】
複数のフィン１２にはそれぞれ伝熱管１４が貫通可能な複数の貫通孔１７が形成されている。なお、説明のため各図では部品取付具２０近傍のフィン１２のみを示すが、実際にはフィン群１３全体にわたって積層されている。
【００１５】
複数の伝熱管１４は、例えば銅管等で構成され、積層されたフィン１２を厚さ方向すなわち積層方向に貫通するように、空気調和装置の室内機の長手方向に沿って互いに平行に延びている。
【００１６】
部品取付具２０は、端板１５と同様の樹脂製または金属製であって、フィン１２同士に挟まれて配置される板状部２１と、この板状部２１の端縁に設けられた２つの取付片（取付部）２２とが一体に形成されて成る。
【００１７】
板状部２１は、フィン１２と同形状の板状に構成され、フィン１２とフィン１２の間の間隙１２ａに配設置される。すなわち複数のフィン１２と同様に積層される。板状部２１には、フィン１２と同様に、前記伝熱管１４を厚み方向に貫通させる貫通孔部（孔部）２３が形成されている。
【００１８】
取付片２２は、矩形の板状に構成され、板状部２１の外縁からフィン群１３の外側に連続して一体に形成され、フィン群１３よりも外側において積層方向に向かって約９０度に折り曲げられている。
【００１９】
すなわち、取付片２２は、その表面がフィン群１３の外側において積層方向に延びる取付面２４を構成する。取付片２２の積層方向の寸法は、間隙１２ａより大きく構成され、複数の積層されたフィン１２の外周部分に渡って配置される。
【００２０】
この取付片２２は、例えば熱交換器１１の表面に配設される部品を取り付け可能に構成されている。例えば、固定機構として、貫通孔１７と交差する方向に延びるねじ孔２５が形成されている。
【００２１】
この取付片２２に、例えば固定具３０を介して、後述する空気清浄機４０等の各種部品が固定可能となっている。固定具３０は、例えば各種部品が嵌合固定等により係止可能に構成された係止部３２、係止爪３３を有するとともに、取付片２２に固定するための取付機構としてねじ孔３１が形成されている。
【００２２】
なお、図示をしないが、フィン群１３の積層方向において部品取付具２０と離間した所定の部位には、部品取付具と同様に構成された他の部品取付具が設けられ、この部品取付具の取付片には、上記固定具３０と同様に構成された他の固定具が、この固定具３０に対向するようにねじ止めされている。すなわち、フィン群１３の外表面部分において複数の固定具３０が設けられている。
【００２３】
取付片２２のねじ孔２５と、固定具３０のねじ孔３１とがねじ部材３５により螺合固定されるとともに、固定具３０の係止部３２に各種部品が係合固定されることにより、部品取付具２０に部品が取り付けられる。
【００２４】
例えば、図１に示すように、両端にそれぞれ外側に突出する係止突起４１及び突起４２が形成されている空気清浄機４０の場合には、２つの固定具３０の係止部３２に一端側及び他端側の係止突起４１がそれぞれ挿入され、係止爪３３に一端側及び他端側の突起４２がそれぞれ嵌合固定されることにより、固定具３０を介して空気清浄機４０が取り付けられる。
【００２５】
以下、本実施形態に係る空気調和装置における熱交換器１１の組み立ての手順について説明する。
【００２６】
まず、図２に示すように、平行に配置された複数本の伝熱管１４の一端側に端板１５を配置する。その後、複数枚のフィン１２を、伝熱管１４を貫通孔１７に差し込むように通して、他端側から一端側に伝熱管１４に対して相対移動させて配置する。すなわち、複数枚のフィン１２を所定の間隙を開けて積層するように配置する。
【００２７】
以上により、端板１５と複数枚のフィン１２が、伝熱管１４を介して一体に組み立てられる。
【００２８】
ついで、所定の枚数のフィン１２を積層した後、フィン１２と同様に、部品取付具２０の板状部２１を、伝熱管１４を貫通孔１７に通して、図中Ｘで示す積層方向に沿って、他端側から一端側に移動させてフィン１２の隣に配置する。
【００２９】
ついで、部品取付具２０の他方側にさらに複数枚のフィン１２を差込設置する。すなわち、隣合うフィン１２同士によって、それらの間隙１２ａに、部品取付具２０を挟む。
【００３０】
なお、複数の部品取付具２０を設ける場合には、上記、複数のフィン１２を積層する工程と部品取付具２０を挿入する工程を繰り返す。
【００３１】
最後に伝熱管１４の他端側の端部に端板１５を取り付け、熱交換器１１の組み立てが完成する。
【００３２】
この結果、部品取付具２０の取付片２２がフィン群１３からなる熱交換器１１の外面側に露出した状態となる。フィン群１３の表面の空気通風路において、露出した取付片２２にねじ止めや嵌合等の固定機構により、空気清浄機４０等の各種部品が取り付けられる。
【００３３】
例えば、図１に示すように、両端にそれぞれ外側に突出する係止突起４１及び突起４２が形成されている空気清浄機４０を、図中矢印方向に差し込むことにより、２つの固定具３０の係止部３２に一端側及び他端側の係止突起４１がそれぞれ挿入され、係止爪３３に一端側及び他端側の突起４２がそれぞれ嵌合固定される。以上により、２つの固定具３０を介して空気清浄機４０が取り付けられる。
【００３４】
本実施形態に係る空気調和装置によれば、以下のような効果が得られる。すなわち、組み付け時にフィン１２と同様に構成された板状部２１を挿入するだけで部品取付具２０を容易に組みつけることができ、フィン１２や伝熱管１４を損傷することなく、部品の固定または取り付けが可能となる。
【００３５】
この発明は、上記実施形態そのままに限定されるものではなく、実施段階ではその要旨を逸脱しない範囲で構成要素を変形して具体化できる。例えば、取り付けられる部品としては空気清浄機のほか、例えば温度センサ等も適用可能である。
【００３６】
また、部品取付具２０の数は上記に限られるものではなく、１つでもよく、複数個設置してもよい。
【００３７】
また、固定機構としてねじ止めを例示したがこれに限られるものではなく、例えば嵌合等により固定可能としてもよい。さらに、固定具３０を省略して取付片２２に直接空気清浄機や温度センサ等の部品をねじ固定する構成としてもよい。
【００３８】
さらに、上記実施形態に開示されている複数の構成要素の適宜な組み合わせにより種々の発明を形成できる。例えば、実施形態に示される全構成要素から幾つかの構成要素を削除してもよい。
【図面の簡単な説明】
【００３９】
【図１】本発明の一実施形態に係る空気調和装置の熱交換器の構成を示す説明図。
【図２】本発明の一実施形態に係る空気調和装置の熱交換器の組み立て手順を示す説明図。
【符号の説明】
【００４０】
１１…熱交換器、１２…フィン、１２ａ…間隙、１３…フィン群、１４…伝熱管、
１５…端板、１７…貫通孔、２０…部品取付具、２１…板状部、２２…取付片（取付部）、２３…貫通孔部（孔部）、２４…取付面、２５…ねじ孔、３０…固定具、３１…ねじ孔、
３２…係止部。
【図１】
2010065924.tif 000003
【図２】
2010065924.tif 000004